(57)【特許請求の範囲】
【請求項１】
かご室の出入口を開閉する引き戸と、この引き戸の上記かご室における外側の面に装着された係合装置と、上記かご室外面の要部をなし戸開した上記引き戸を収納する戸袋の外面を形成し、上記出入口の間口方向縁部に対向する縁部が上記引き戸の上記かご室における外側の面に近接して配置されると共に、上記出入口の間口方向縁部に対応した縁部に開口して上記引き戸の戸開時に上記係合装置を収容する切欠部が設けられた戸袋覆い板と、上記引き戸の戸袋側の縁部に一端が装着されて上記戸袋覆い板の内側に配置されて、上記引き戸の全閉時に上記切欠部を閉塞する塞ぎ板とを備えたエレベーターかごのドアー装置。
【請求項２】
塞ぎ板を、粘弾性板材からなるものとし、戸開した引き戸の戸袋側の縁部に対向した戸袋覆い板の隅部内面に設けられて水平投影面において上記隅部内面に湾曲部を形成し、上記引き戸の戸開時に上記塞ぎ板を上記湾曲部によって弾性変形させて湾曲させる案内板を備えたことを特徴とする請求項１記載のエレベーターかごのドアー装置。
【発明の詳細な説明】
【０００１】
【発明の属する技術分野】
この発明は、かご室における外側の面に係合装置が装着された引き戸によって、かご室の出入口を開閉するエレベーターかごのドアー装置に関する。
【０００２】
【従来の技術】
図３及び図４は、例えば特開平５−１８６１７０号公報に示された構成に類似した従来のエレベーターかごのドアー装置を示す図で、図３はエレベーターかごの斜視図、図４は図３の要部を拡大して示す横断面図である。図において、１は鋼材がロ字状に組立てられたかご枠、２はかご枠１内に設けられたかご室で、かご床３、出入口４を有する壁５及び天井６によって形成されている。
【０００３】
７はかご枠１の上部の両側から出入口４側に突設された取付腕、８は取付腕７に支持されて出入口４の上縁部に装備されたドアー開閉装置で、戸のレール、開閉機構が設けられている。９は二枚戸両開き戸からなる引き戸で、ドアー開閉装置８によって駆動されて戸のレールによって案内され、二枚の引き戸９が互いに反対方向に動作して出入口４を開閉する。
【０００４】
１０は引き戸９の戸当たり側の端部に装着された戸当たりゴム、１１は引き戸９の戸当たり側の端部に装着された周知のセーフティシュー、１２はドアー開閉装置８の係合装置で、引き戸９のかご室２における外側の面に設けられてかご室２の出入口４側の前縁よりも突出して配置されている。１３はかご室２の上面を覆って設けられた上部整風カバーである。
【０００５】
１４はかご室２の下面を覆って設けられた下部整風カバー、１５は戸袋覆い板で、かご室２外面の要部をなし戸開した引き戸９を収納する戸袋を形成し、引き戸９のかご室２外側の面を覆って配置され、出入口４の間口方向縁部と対向する縁部が引き戸９のかご室２外側の面に近接して設けられ、また出入口４の間口方向縁部と対向する縁部に開口して、引き戸９の戸開時に係合装置１２を収容する切欠部１６が設けられている。
【０００６】
１７は上部覆い板で、かご室２外面の要部をなし出入口４の上縁部における引き戸９のかご外側の面を覆って配置され、出入口４の上縁部と対向する縁部が引き戸９のかご外側の面に近接して設けられている。１８は壁５の戸袋位置に埋設状態に設けられたかご操作盤である。
【０００７】
１９はかご室２側面における壁５のかご室２外面と、この外面に対向した戸袋覆い板１５の縁部との間を塞いで装着されたゴム板からなる遮音板、２０は遮音材で、引き戸９のかご室２外側の面及び内側の面にそれぞれ装着されて、引き戸９の戸袋側の縁部において出入口４の側縁部と引き戸９面との空隙又は戸袋覆い板１５の縁部と引き戸９面との空隙を塞ぎ、また引き戸９の上縁部において出入口４の上縁部と引き戸９面との空隙又は戸袋覆い板１５の縁部と引き戸９面との空隙を塞ぐ。
【０００８】
従来のエレベーターかごのドアー装置は上記のように構成され、かご室２は上部整風カバー１３及び下部整風カバー１４が設けられる。また、かご室２の出入口４側は戸袋覆い板１５、上部覆い板１７が設けられる。これによって、引き戸９が戸閉したかご室２の昇降時にエレベーターの昇降路（図示しない）の騒音が、かご室２内に伝播しないようにしてかご室２の乗り心地を向上するように構成されている。
【０００９】
【発明が解決しようとする課題】
上記のような従来のエレベーターかごのドアー装置では、かご室２がエレベーターの乗場（図示しない）に到着して戸開するときに、乗場のドアー装置（図示しない）にドアー開閉装置８の係合装置１２が係合する。このため、係合装置１２は引き戸９のかご室２における外側の面に設けられて、かご室２の出入口４側の前縁よりも突出して配置される。したがって、引き戸９の戸開時において係合装置１２を収容する切欠部１６が戸袋覆い板１５に設けられる。これによって、昇降路の騒音が切欠部１６を経てかご室２内に伝播し易くなるという問題点があった。
【００１０】
この発明は、かかる問題点を解消するためになされたものであり、引き戸の戸閉時において騒音がかご室内に伝播し難いエレベーターかごのドアー装置を得ることを目的とする。
【００１１】
【課題を解決するための手段】
この発明に係るエレベーターかごのドアー装置においては、かご室の出入口を開閉する引き戸と、この引き戸のかご室における外側の面に装着された係合装置と、かご室外面の要部をなし戸開した引き戸を収納する戸袋の外面を形成し、出入口の間口方向縁部に対向する縁部が引き戸のかご室における外側の面に近接して配置されると共に、出入口の間口方向縁部に対応した縁部に開口して引き戸の戸開時に係合装置を収容する切欠部が設けられた戸袋覆い板と、引き戸の戸袋側の縁部に一端が装着されて戸袋覆い板の内側に配置され、引き戸の全閉時に切欠部を閉塞する塞ぎ板とが設けられる。
【００１２】
また、この発明に係るエレベーターかごのドアー装置においては、粘弾性板材からなる塞ぎ板が設けられ、また戸開した引き戸の戸袋側の縁部に対向した戸袋覆い板の隅部内面に設けられて水平投影面において隅部内面に湾曲部を形成し、引き戸の戸開時に湾曲部によって塞ぎ板を弾性変形させて湾曲させる案内板が設けられる。
【００１３】
【発明の実施の形態】
実施の形態１．
図１及び図２は、この発明の実施の形態の一例を示す図で、図１は前述の図４相当図、図２は図１のエレベーターかごのドアー装置の戸開状態を示す図１相当図である。なお、図１及び図２の他は前述の図３及び図４と同様にエレベーターかごのドアー装置が構成されている。図において、３はかご室２のかご床、４はかご室２の壁５に設けられた出入口である。
【００１４】
９は二枚戸両開き戸からなる引き戸で、ドアー開閉装置８によって駆動されて戸のレールによって案内され、二枚の引き戸９が互いに反対方向に動作して出入口４を開閉する。１０は引き戸９の戸当たり側の端部に装着された戸当たりゴム、１１は引き戸９の戸当たり側の端部に装着された周知のセーフティシューである。
【００１５】
１５は戸袋覆い板で、かご室２外面の要部をなし戸開した引き戸９を収納する戸袋を形成し、引き戸９のかご室２外側の面を覆って配置され、出入口４の間口方向縁部と対向する縁部が引き戸９のかご室２外側の面に近接して設けられ、また出入口４の間口方向縁部と対向する縁部に開口して引き戸９の戸開時に係合装置１２を収容する切欠部１６が設けられている。
【００１６】
１９はかご室２側面における壁５のかご室２外面と、この外面に対向した戸袋覆い板１５の縁部との間を塞いで装着されたゴム板からなる遮音板、２０は遮音材で、引き戸９のかご室２内側の面に装着されて、引き戸９の戸袋側の縁部において出入口４の側縁部と引き戸９面との空隙を塞ぎ、引き戸９の上縁部において出入口４の上縁部と引き戸９面との空隙を塞ぐ。
【００１７】
２１はゴム等の粘弾性板材からなる塞ぎ板で、一端が引き戸９のかご室２外側の面における引き戸９の戸袋側の縁部に装着され、反引き戸９方向に突出して戸袋覆い板１５の内側に配置されて、引き戸９の全閉時に切欠部１６を閉塞する。２２は案内板で、戸袋覆い板１５の内側における引き戸９のかご室２の外側の面に対向した隅部に装着されてこの隅部に水平投影面において湾曲部を形成し、また湾曲面には摩擦係数の小さい物質、例えばフッ素樹脂がコーティングされている。
【００１８】
上記のように構成されたエレベーターかごのドアー装置において、前述の図３及び図４のエレベーターかごのドアー装置と同様に、かご室２には上部整風カバー１３及び下部整風カバー１４が設けられる。また、かご室２の出入口４側は戸袋覆い板１５、上部覆い板１７が設けられ、引き戸９の全閉時に切欠部１６が塞ぎ板２１によって図１に示すように閉塞される。
【００１９】
これによって、引き戸９が戸閉したかご室２の昇降時に、エレベーターの昇降路（図示しない）の騒音がかご室２内に伝播する不具合を解消することができ、かご室２の乗り心地を向上することができる。また、引き戸９の戸開時には、塞ぎ板２１が案内板２２に当たって円滑に滑ると共に弾性変形して湾曲し、図２に示すように戸袋覆い板１５内に配置される。
【００２０】
このため、戸袋覆い板１５を出入口４の間口方向に沿う方向において広がった寸法に設置する必要がなく、エレベーターの昇降路の間口方向スペースを節減することができる。したがって、エレベーターが設置される建物の建築費を低減することができる。
【００２１】
【発明の効果】
この発明は以上説明したように、かご室の出入口を開閉する引き戸と、この引き戸のかご室における外側の面に装着された係合装置と、かご室外面の要部をなし戸開した引き戸を収納する戸袋の外面を形成し、出入口の間口方向縁部に対向する縁部が引き戸のかご室における外側の面に近接して配置されると共に、出入口の間口方向縁部に対応した縁部に開口して引き戸の戸開時に係合装置を収容する切欠部が設けられた戸袋覆い板と、引き戸の戸袋側の縁部に一端が装着されて戸袋覆い板の内側に配置され、引き戸の全閉時に切欠部を閉塞する塞ぎ板とを設けたものである。
【００２２】
これによって、戸袋覆い板に設けられて、引き戸のかご室における外側の面に装着された係合装置を引き戸の戸開時に収容する切欠部が、引き戸の全閉時に塞ぎ板によって閉塞される。このため、引き戸が戸閉したかご室の昇降時にエレベーター昇降路の騒音が、かご室内に伝播する不具合を解消することができ、かご室の乗り心地を向上する効果がある。
【００２３】
また、この発明は以上説明したように、粘弾性板材からなる塞ぎ板が設けられ、また戸開した引き戸の戸袋側の縁部に対向した戸袋覆い板の隅部内面に設けられて水平投影面において隅部内面に湾曲部を形成し、引き戸の戸開時に塞ぎ板を湾曲部によって弾性変形させて湾曲させる案内板を設けたものである。
【００２４】
これによって、引き戸の戸開時に塞ぎ板が案内板に当たって弾性変形して湾曲した状態で戸袋覆い板内に配置される。このため、戸袋覆い板を出入口の間口方向に沿う方向において広がった寸法に設置する必要がなく、エレベーターの昇降路の間口方向スペースを節減することができる。したがって、エレベーターが設置される建物の建築費を低減する効果がある。
【図面の簡単な説明】
【図１】この発明の実施の形態１を示す図で、後述する図４相当図。
【図２】図１のエレベーターかごのドアー装置の戸開状態を示す図１相当図。
【図３】従来のエレベーターかごのドアー装置を示す図で、エレベーターかごの斜視図。
【図４】図３の要部を拡大して示す横断面図。
【符号の説明】
２  かご室、    ４  出入口、    ９  引き戸、    １２  係合装置、    １５  戸袋覆い板、    １６  切欠部、    ２１  塞ぎ板、    ２２  案内板。
【図１】
0004577981.tif 000002
【図２】
0004577981.tif 000003
【図３】
0004577981.tif 000004
【図４】
0004577981.tif 000005